(57)【特許請求の範囲】
【請求項１】
間仕切によって仕切られた第１の部屋および第２の部屋に設けられた機器をコントローラを用いて制御する部屋管理システムにおける間仕切変更方法において、
前記コントローラは、
前記第１の部屋の構成要素として、その部屋に設けられている機器に加え、その部屋が実在する部屋であることを示す情報と、その部屋が他の部屋とは関連しない独立した部屋であることを示す関連情報とが設定された第１のデータベースと、
前記第２の部屋の構成要素として、その部屋に設けられている機器に加え、その部屋が実在する部屋であることを示す情報と、その部屋が他の部屋とは関連しない独立した部屋であることを示す関連情報とが設定された第２のデータベースと、
前記第１の部屋と前記第２の部屋とを合わせた領域を第３の部屋とし、この第３の部屋の構成要素として、少なくとも、その部屋が仮想の部屋であることを示す情報と、その部屋が他の部屋とは関連しない独立した部屋であることを示す関連情報とが設定された第３のデータベースと、
前記間仕切を取り去る際にセットされる、前記第３の部屋が前記第１の部屋および第２の部屋に関連する部屋であることを示す関連定義を記憶するメモリとを有しており、
前記コントローラは、
前記第３のデータベースの関連情報を前記関連定義の所在を示す関連情報に変更し、前記第１のデータベースの関連情報を前記第１の部屋が前記第３の部屋に関連する部屋であること示す関連情報に変更し、前記第２のデータベースの関連情報を前記第２の部屋が前記第３の部屋に関連する部屋であること示す関連情報に変更するステップと、
前記第１のデータベースの関連情報を読み出し、この関連情報が前記第１の部屋が前記第３の部屋に関連する部屋であること示す情報であった場合、前記第３のデータベースの関連情報から前記関連定義の所在を知り、この関連定義から前記第２の部屋が前記第３の部屋に関連する部屋であること知り、前記第１および第２のデータベースに構成要素として設定されている機器の制御を行うステップと、
前記第２のデータベースの関連情報を読み出し、この関連情報が前記第２の部屋が前記第３の部屋に関連する部屋であること示す情報であった場合、前記第３のデータベースの関連情報から前記関連定義の所在を知り、この関連定義から前記第１の部屋が前記第３の部屋に関連する部屋であること知り、前記第１および第２のデータベースに構成要素として設定されている機器の制御を行うステップとを実行する
ことを特徴とする部屋管理システムにおける間仕切変更方法。
【請求項２】
請求項１に記載された部屋管理システムにおける間仕切変更方法において、
前記関連情報を変更するステップは、前記関連定義のセットに連動して、前記第３のデータベースの関連情報をその関連定義の所在を示す関連情報に変更し、前記第１のデータベースの関連情報を前記第１の部屋が前記第３の部屋に関連する部屋であること示す関連情報に変更し、前記第２のデータベースの関連情報を前記第２の部屋が前記第３の部屋に関連する部屋であること示す関連情報に変更する
ことを特徴とする部屋管理システムにおける間仕切変更方法。
【発明の詳細な説明】
【０００１】
【発明の属する技術分野】
この発明は、管理単位を部屋とし、この部屋の制御（電気錠や侵入センサなどの制御）を行う部屋管理システムにおける間仕切変更方法に関するものである。
【０００２】
【従来の技術】
従来より、この種の部屋管理システムとして、ビル内の各部屋を管理するビル管理システムがある。図７にこのビル管理システムの要部を示す。同図において、１は第１の部屋（部屋▲１▼）、２は第２の部屋（部屋▲２▼）、３は部屋１と部屋２とを仕切る間仕切、４は部屋１への出入口に設けられたカードリーダ（カードリーダ▲１▼）、５は部屋１の出入口に設けられた電気錠（電気錠▲１▼）、６は部屋１内に設けられた侵入センサ（侵入センサ▲１▼）、７は部屋２への出入口に設けられたカードリーダ（カードリーダ▲２▼）、８は部屋２の出入口に設けられた電気錠（電気錠▲２▼）、９は部屋２内に設けられた侵入センサ（侵入センサ▲２▼）、１０はコントローラである。
【０００３】
コントローラ１０は、部屋１に対して作成された第１のデータベースＤ１と、部屋２に対して作成された第２のデータベースＤ２とを有している。データベースＤ１には、図８（ａ）に示すように、部屋▲１▼の構成要素として、カードリーダ▲１▼、電気錠▲１▼、侵入センサ▲１▼が設定されている。データベースＤ２には、図８（ｂ）に示すように、部屋▲２▼の構成要素として、カードリーダ▲２▼、電気錠▲２▼、侵入センサ▲２▼が設定されている。
【０００４】
〔部屋１への入室〕
各個人はＩＤカードを携帯しており、部屋１に入る場合には、カードリーダ４に自己の持つＩＤカードをセットする。カードリーダ４は、セットされたＩＤカードから照合データを読み取り、コントローラ１０へ送る。コントローラ１０は、カードリーダ４からの照合データと予め登録されているマスタデータとを照合し、合致すれば、カードリーダ▲１▼としてカードリーダ４がデータベースＤ１に設定されていることを確認のうえ、このデータベースＤ１に設定されている電気錠▲１▼すなわち電気錠５を解錠し、部屋１への入室を許可する。また、それまで部屋１が無人の状態であったなら、データベースＤ１に設定されている侵入センサ▲１▼すなわち侵入センサ６を非警戒状態とする。
【０００５】
〔部屋２への入室〕
部屋２に入る場合には、カードリーダ７に自己の持つＩＤカードをセットする。カードリーダ７は、セットされたＩＤカードから照合データを読み取り、コントローラ１０へ送る。コントローラ１０は、カードリーダ７からの照合データと予め登録されているマスタデータとを照合し、合致すれば、カードリーダ▲２▼としてカードリーダ７がデータベースＤ２に設定されていることを確認のうえ、このデータベースＤ２に設定されている電気錠▲２▼すなわち電気錠８を解錠し、部屋２への入室を許可する。また、それまで部屋２が無人の状態であったなら、データベースＤ２に設定されている侵入センサ▲２▼すなわち侵入センサ９を非警戒状態とする。
【０００６】
〔間仕切３の除去〕
間仕切３を除去すれば、図９に示すように、部屋１と部屋２とが１つの部屋１１となる。ビル等の建物の各階のフロアーでは、テナントの入れ替わりや、レイアウトの変更などにより、間仕切の変更はたびたび行われる。間仕切３を除去して部屋１１とした場合、図８に示したデータベースＤ１，Ｄ２のままだと、カードリーダ４にＩＤカードをセットしての入室時には侵入センサ９が非警戒状態とならず、カードリーダ７にＩＤカードをセットしての入室時には侵入センサ６が非警戒状態とならず、不具合が生じる。そこで、従来においては、部屋１１を部屋▲１▼とし、図１０に示すように、データベースＤ２中の構成要素をすべてデータベースＤ１に移動し、データベースＤ２を未使用状態とすることにより、このような不具合が生じないようにしている。
【０００７】
【発明が解決しようとする課題】
しかしながら、このような間仕切変更方法によると、データベースＤ２中の構成要素をすべてデータベースＤ１に移動しなければならず、作業が繁雑で手間がかかる。また、データベースを大きく変更するために、変更の間システムを停止する必要があり、他への影響も多大なものがあった。
【０００８】
本発明はこのような課題を解決するためになされたもので、その目的とするところは、データベースに大幅な変更を加えることなく、簡単に、間仕切の変更を行うことの可能な部屋管理システムにおける間仕切変更方法を提供することにある。
【０００９】
【課題を解決するための手段】
このような目的を達成するために本発明は、コントローラに、第１の部屋の構成要素として、その部屋に設けられている機器に加え、その部屋が実在する部屋であることを示す情報と、その部屋が他の部屋とは関連しない独立した部屋であることを示す関連情報とが設定された第１のデータベースと、第２の部屋の構成要素として、その部屋に設けられている機器に加え、その部屋が実在する部屋であることを示す情報と、その部屋が他の部屋とは関連しない独立した部屋であることを示す関連情報とが設定された第２のデータベースと、第１の部屋と第２の部屋とを合わせた領域を第３の部屋とし、この第３の部屋の構成要素として、少なくとも、その部屋が仮想の部屋であることを示す情報と、その部屋が他の部屋とは関連しない独立した部屋であることを示す関連情報とが設定された第３のデータベースと、間仕切を取り去る際にセットされる、第３の部屋が第１の部屋および第２の部屋に関連する部屋であることを示す関連定義を記憶するメモリとを設けると共に、コントローラに、第３のデータベースの関連情報を関連定義の所在を示す関連情報に変更し、第１のデータベースの関連情報を第１の部屋が第３の部屋に関連する部屋であること示す関連情報に変更し、第２のデータベースの関連情報を第２の部屋が第３の部屋に関連する部屋であること示す関連情報に変更するステップと、第１のデータベースの関連情報を読み出し、この関連情報が第１の部屋が第３の部屋に関連する部屋であること示す情報であった場合、第３のデータベースの関連情報から関連定義の所在を知り、この関連定義から第２の部屋が第３の部屋に関連する部屋であること知り、第１および第２のデータベースに構成要素として設定されている機器の制御を行うステップと、第２のデータベースの関連情報を読み出し、この関連情報が第２の部屋が第３の部屋に関連する部屋であること示す情報であった場合、第３のデータベースの関連情報から関連定義の所在を知り、この関連定義から第１の部屋が第３の部屋に関連する部屋であること知り、第１および第２のデータベースに構成要素として設定されている機器の制御を行うステップとを実行させるようにしたものである。
この発明によれば、第１の部屋と第２の部屋とを仕切る間仕切を除去する際に、第１の部屋と第２の部屋と第３の部屋との関連定義をセットし、第３のデータベースの関連情報を関連定義の在処を示す関連情報に変更し、第１のデータベースの関連情報を第１の部屋が第３の部屋に関連する部屋であること示す関連情報に変更し、第２のデータベースの関連情報を第２の部屋が第３の部屋に関連する部屋であること示す関連情報に変更するのみでよく、データベース（第１，第２，第３のデータベース）の内容を大幅に変更する必要がない。
なお、第１のデータベースの関連情報の変更、第２のデータベースの関連情報の変更、第３のデータベースの関連情報の変更は手動でコントローラに行わせるようにしてもよいが、第１の部屋と第２の部屋と第３の部屋との関連定義のセットに連動してコントローラに行わせるようにすれば、作業の手間が削減される。
【００１０】
【発明の実施の形態】
以下、本発明を実施の形態に基づき詳細に説明する。図２はこの発明に係る間仕切変更方法を適用したビル管理システムの要部を示す図である。同図において、図７と同一符号は同一或いは同等構成要素を示し、その説明は省略する。
【００１１】
この実施の形態では、第１の部屋１（部屋▲１▼）と第２の部屋２（部屋▲２▼）とを合わせた領域を第３の部屋１２（仮想部屋▲３▼）とし、この第３の部屋１２に対してコントローラ１０内に第３のデータベースＤ３を作成する。部屋１と部屋２との間に間仕切３がある場合、データベースＤ１には、図３（ａ）に示すように、部屋▲１▼の構成要素として、カードリーダ▲１▼、電気錠▲１▼、侵入センサ▲１▼に加え、部屋１が実在する部屋であることを示す「実在」と、部屋１が部屋１２とは関連しない独立した部屋であることを示す「関連：なし」を設定する。データベースＤ２には、図３（ｂ）に示すように、部屋▲２▼の構成要素として、カードリーダ▲２▼、電気錠▲２▼、侵入センサ▲２▼に加え、部屋２が実在する部屋であることを示す「実在」と、部屋２が部屋１２とは関連しない独立した部屋であることを示す「関連：なし」を設定する。データベースＤ３には、図３（ｃ）に示すように、仮想部屋▲３▼の構成要素として、カードリーダ、電気錠、侵入センサに加え、部屋１２が仮想的な部屋であることを示す「仮想」と、部屋１２が部屋１や部屋２とは関連しないことを示す「関連：なし」を設定する。
【００１２】
〔部屋１への入室〕
各個人はＩＤカードを携帯しており、部屋１に入る場合には、カードリーダ４に自己の持つＩＤカードをセットする。カードリーダ４は、セットされたＩＤカードから照合データを読み取り、コントローラ１０へ送る。コントローラ１０は、カードリーダ４からの照合データと予め登録されているマスタデータとを照合し、合致すれば、カードリーダ▲１▼としてカードリーダ４がデータベースＤ１に設定されていることを確認のうえ（図４に示すＳ１１）、また部屋１が実在する部屋でかつ独立した部屋としてデータベースＤ１に設定されていることを確認のうえ（Ｓ１２，Ｓ１３）、データベースＤ１に設定されている電気錠▲１▼すなわち電気錠５を解錠し（Ｓ１４）、部屋１への入室を許可する。また、それまで部屋１が無人の状態であったなら、データベースＤ１に設定されている侵入センサ▲１▼すなわち侵入センサ６を非警戒状態とする（Ｓ１５）。
【００１３】
〔部屋２への入室〕
部屋２に入る場合には、カードリーダ７に自己の持つＩＤカードをセットする。カードリーダ７は、セットされたＩＤカードから照合データを読み取り、コントローラ１０へ送る。コントローラ１０は、カードリーダ７からの照合データと予め登録されているマスタデータとを照合し、合致すれば、カードリーダ▲２▼としてカードリーダ７がデータベースＤ２に設定されていることを確認のうえ（図４に示すＳ２１）、また部屋２が実在する部屋でかつ独立した部屋としてデータベースＤ２に設定されていることを確認のうえ（Ｓ２２，Ｓ２３）、データベースＤ２に設定されている電気錠▲２▼すなわち電気錠８を解錠し（Ｓ２４）、部屋２への入室を許可する。また、それまで部屋２が無人の状態であったなら、データベースＤ２に設定されている侵入センサ▲２▼すなわち侵入センサ９を非警戒状態とする（Ｓ２５）。
【００１４】
〔間仕切３の除去〕
間仕切３を除去すれば、部屋１と部屋２とが１つの部屋１２となる。ビル等の建物の各階のフロアーでは、テナントの入れ替わりや、レイアウトの変更などにより、間仕切の変更はたびたび行われる。間仕切３を除去して部屋１２とする際、本実施の形態では、部屋１と部屋２と部屋１２との関連を定義し、この関連定義をコントローラ１０にセットする。図５（ｄ）にこの場合の関連定義を示す。この関連定義では、「親」を仮想部屋▲３▼（部屋１２）とし、「子」を部屋▲１▼（部屋１）と部屋▲２▼（部屋２）とし、他の関連定義と区別するためにその名称を「関連定義１」としている。
【００１５】
コントローラ１０に関連定義１をセットすると、自動的に、その名称（在処）がデータベースＤ３に設定される。図５（ｃ）はこのときのデータベースＤ３の設定状態を示し、それまで「関連：なし」とされていた部分が「関連：定義１」に変更される。また、コントローラ１０に関連定義１をセットすると、自動的に、データベースＤ１に部屋１と部屋１２との関連が設定され、データベースＤ２に部屋２と部屋１２との関連が設定される。図５（ａ）はこのときのデータベースＤ１の設定状態を示し、それまで「関連：なし」とされていた部分が「関連：親（部屋▲３▼）」に変更される。図５（ｂ）はこのときのデータベースＤ２の設定状態を示し、それまで「関連：なし」とされていた部分が「関連：親（部屋▲３▼）」に変更される。
【００１６】
〔部屋１側からの入室〕
間仕切３が除去された部屋１２に入るには部屋１側から入る場合と部屋２側から入る場合とがある。各個人はＩＤカードを携帯しており、部屋１側から入る場合には、カードリーダ４にＩＤカードをセットする。カードリーダ４は、セットされたＩＤカードから照合データを読み取り、コントローラ１０へ送る。コントローラ１０は、カードリーダ４からの照合データと予め登録されているマスタデータとを照合し、合致すれば、カードリーダ▲１▼としてカードリーダ４がデータベースＤ１に設定されていることを確認し（図１に示すＳ１１）、また部屋１が実在する部屋であることを確認し（Ｓ１２）、部屋１と他の部屋との関連をチェックする（Ｓ１３）。
【００１７】
この場合、データベースＤ１には「関連：親（部屋▲３▼）」と設定されているので、部屋▲１▼の親が部屋▲３▼すなわち間仕切３が除去された部屋１２であると認識し、部屋１２に対して作成されているデータベースＤ３の設定内容を読みに行く。この場合、部屋１２が仮想的な部屋であることを確認し（Ｓ１４）、部屋２と他の部屋との関連をチェックする（Ｓ１５）。データベースＤ３には他の部屋との関連が「関連：定義１」と設定されている。これにより、コントローラ１０は、関連定義１を読みに行く（Ｓ１６）。コントローラ１０は、関連定義１から仮想部屋▲３▼に子として部屋▲１▼の他に部屋▲２▼があることを知り、部屋▲２▼が実在する部屋であることを確認のうえ（Ｓ１７）、データベースＤ１に設定されている電気錠▲１▼すなわち電気錠５を解錠すると共に（Ｓ１８）、それまで部屋１，２が無人の状態であったなら、データベースＤ１，Ｄ２に設定されている侵入センサ▲１▼，▲２▼すなわち侵入センサ６，９を非警戒状態とする（Ｓ１９）。
【００１８】
〔部屋２側からの入室〕
間仕切３が除去された部屋１２に入るには部屋１側から入る場合と部屋２側から入る場合とがある。各個人はＩＤカードを携帯しており、部屋２側から入る場合には、カードリーダ７にＩＤカードをセットする。カードリーダ７は、セットされたＩＤカードから照合データを読み取り、コントローラ１０へ送る。コントローラ１０は、カードリーダ７からの照合データと予め登録されているマスタデータとを照合し、合致すれば、カードリーダ▲２▼としてカードリーダ７がデータベースＤ２に設定されていることを確認し（図６に示すＳ２１）、また部屋２が実在する部屋であることを確認し（Ｓ２２）、部屋２と他の部屋との関連をチェックする（Ｓ２３）。
【００１９】
この場合、データベースＤ２には「関連：親（部屋▲３▼）」と設定されているので、部屋▲２▼の親が部屋▲３▼すなわち間仕切３が除去された部屋１２であると認識し、部屋１２に対して作成されているデータベースＤ３の設定内容を読みに行く。この場合、部屋１２が仮想的な部屋であることを確認し（Ｓ２４）、部屋１２と他の部屋との関連をチェックする（Ｓ２５）。データベースＤ３には他の部屋との関連が「関連：定義１」と設定されている。これにより、コントローラ１０は、関連定義１を読みに行く（Ｓ２６）。コントローラ１０は、関連定義１から仮想部屋▲３▼に子として部屋▲２▼の他に部屋▲１▼があることを知り、部屋▲１▼が実在する部屋であることを確認のうえ（Ｓ２７）、データベースＤ２に設定されている電気錠▲２▼すなわち電気錠８を解錠すると共に（Ｓ２８）、それまで部屋１，２が無人の状態であったなら、データベースＤ１，Ｄ２に設定されている侵入センサ▲１▼，▲２▼すなわち侵入センサ６，９を非警戒状態とする（Ｓ２９）。
【００２０】
以上説明したように、本実施の形態では、部屋１と部屋２との間の間仕切３を除去して部屋１２とする場合、部屋１と部屋２と部屋１２との関連を定義し、この関連定義をコントローラ１０にセットするのみでよく、データベースＤ１，Ｄ２，Ｄ３に大幅な変更を加えることなく、簡単に、間仕切の変更を行うことができるようになる。また、データベースＤ１，Ｄ２，Ｄ３の変更は短時間で行われるので、システムを停止する必要はない。
なお、本実施の形態では、関連定義をセットすると自動的にデータベースＤ３への関連定義の名称（在処）の設定、データベースＤ１への部屋▲１▼と部屋▲３▼との関連の設定、データベースＤ２への部屋▲２▼と部屋▲３▼との関連の設定が行われるものとしたが、作業の手間はかかるが、これらの設定は手動で行うようにしてもよい。
また、本実施の形態では、間仕切を除去した場合について説明したが、追加した場合にも同様のメリットがある。要するに、入り口が２つあって、間仕切がない状態でも部屋１，部屋２，仮想部屋で定義し、関連定義によって親子関係を定義する。間仕切をつけて部屋を仕切った場合は、同じように、関連定義をなくし、それぞれ独立した定義をすれば同様の効果が得られる。
【００２１】
【発明の効果】
以上説明したことから明らかなように本発明によれば、第１の部屋と第２の部屋とを仕切る間仕切を取り去る際、第１の部屋と第２の部屋と第３の部屋との関連定義をセットし、第３のデータベースの関連情報を関連定義の在処を示す関連情報に変更し、第１のデータベースの関連情報を第１の部屋が第３の部屋に関連する部屋であること示す関連情報に変更し、第２のデータベースの関連情報を第２の部屋が第３の部屋に関連する部屋であること示す関連情報に変更するのみでよく、データベース（第１，第２，第３のデータベース）の内容に大幅な変更を加えることくなく、簡単に、間仕切の変更を行うことができるようになる。
【図面の簡単な説明】
【図１】  間仕切を除去した後の第１の部屋側からの入室に際するコントローラの動作を説明する図である。
【図２】  本発明に係る間仕切変更方法を適用したビル管理システムの要部を示す図である。
【図３】  間仕切を除去する前のデータベースＤ１，Ｄ２，Ｄ３の設定状態を示す図である。
【図４】  間仕切を除去する前の第１および第２の部屋への入室に際するコントローラの動作を説明する図である。
【図５】  間仕切を除去する際のデータベースＤ１，Ｄ２，Ｄ３の設定変更を説明する図である。
【図６】  間仕切を除去した後の第２の部屋側からの入室に際するコントローラの動作を説明する図である。
【図７】  従来の間仕切変更方法が適用されたビル管理システムの要部を示す図である。
【図８】  間仕切を除去する前の従来のデータベースＤ１，Ｄ２の設定状態を示す図である。
【図９】  間仕切を除去した後のビル管理システムの要部を示す図である。
【図１０】  間仕切を除去する際の従来のデータベースＤ１，Ｄ２の設定変更を説明する図である。
【符号の説明】
１…第１の部屋（部屋▲１▼）、２…第２の部屋（部屋▲２▼）、３…間仕切、４，７…カードリーダ（カードリーダ▲１▼，▲２▼）、５，８…電気錠（電気錠▲１▼，▲２▼）、６，９…侵入センサ（侵入センサ▲１▼，▲２▼）、１０…コントローラ、１２…第３の部屋（仮想部屋▲３▼）、Ｄ１，Ｄ２，Ｄ３…データベース。
【図１】
0003648107.tif 000002
【図２】
0003648107.tif 000003
【図３】
0003648107.tif 000004
【図４】
0003648107.tif 000005
【図５】
0003648107.tif 000006
【図６】
0003648107.tif 000007
【図７】
0003648107.tif 000008
【図８】
0003648107.tif 000009
【図９】
0003648107.tif 000010
【図１０】
0003648107.tif 000011